(57)【要約】【課題】手や挿入体そのもの自体を汚すことなく手で簡単円滑に挿入操作するだけで、痛みを伴うことなく便を直腸側に誘導して円滑に肛門から排便させることができると共に排便後の始末も簡便なものにした便秘クリーナーの提供。【解決手段】肛門に挿入して溜まった糞を排出し便秘を解除するものであって、掬い面を有するスプーン状の便誘導ピックを挿入先端部に設け、便誘導ピックの後部に誘導操作アームを接続し、誘導操作アームの中間部に挿入制限用のストッパーを設け、誘導操作アームに対して便誘導ピックをそのスプーン掬い面側に傾倒させ、場合によっては、便誘導ピック等に伸縮性薄膜を被覆してなる便秘クリーナー。【選択図】  図１
0003144761.tif 000002
【実用新案登録請求の範囲】
【請求項１】
肛門に挿入して溜まった糞を排出し便秘を解除するものであって、掬い面（201）を有するスプーン状の便誘導ピック（200）を挿入先端部に設け、便誘導ピック（200）の後部に誘導操作アーム(300)を接続し、誘導操作アーム(300)の中間部に挿入制限用のストッパー(400)を設け、誘導操作アーム(300)に対して便誘導ピック（200）をそのスプーン掬い面(201)側に傾倒させてなることを特徴とする便秘クリーナー。
【請求項２】
肛門に挿入して溜まった糞を排出し便秘を解除するものであって、掬い面（201）を有するスプーン状の便誘導ピック（200）を挿入先端部に設け、便誘導ピック（200）の後部に誘導操作アーム(300)を接続し、誘導操作アーム(300)の中間部に挿入制限用のストッパー(400)を設け、誘導操作アーム(300)に対して便誘導ピック（200）をそのスプーン掬い面(201)側に傾倒させ、少なくとも前記便誘導ピック（200）とストッパー(400)を含む範囲の表面に着脱自在な伸縮性薄膜(500)を被覆したことを特徴とする便秘クリーナー。
【考案の詳細な説明】
【技術分野】
【０００１】
本考案は、肛門に挿入して溜まった糞を排出し便秘を解除する便秘クリーナーに関するものである。
【背景技術】
【０００２】
一般公知文献などでは、普段何気なく行っている排便であるが、そのメカニズムには次の２つの運動が関係していると紹介している。
１．胃・大腸反射と２．直腸・結腸反応。
胃・大腸反射は、食べ物が胃に入ると、胃は大腸へ信号を送る。その信号を受取った大腸は反射的に、便を大腸へ送り出すよう「ぜん動運動」を開始する。
直腸・結腸反応は、次に便が結腸から直腸へ送り出されると、骨盤神経から大脳に向けて「便が来た」という信号が送られ、便意が起こる。この時、大脳と同時に直腸上部にもこの信号が送られ、蠕動運動が開始される。人が便意を感じ、トイレで準備態勢につくと、脳は下腹部に対して「いきむ」ようにと信号を出す。そこでお腹に力を入れると、肛門括約筋が緩み、便が排出される。
そこで、胃は、食べ物が腸で消化・吸収される前段階としての、準備的な消化を行う。また同時に、腸での消化の進み具合に合わせて、食べ物を溜めておく役割も持っている。
食べ物は胃に入ると、胃液と混ざり合いながら、胃の蠕動運動（筋肉の収縮と弛緩を繰り返す強い運動）によって細かく砕かれ、ドロドロの粥状になった後、少しずつ十二指腸の入口に運ばれる。
胃液は１日に約１．５リットル分泌されるが、その成分は胃酸（塩酸）・ペプシン（消化酵素）・粘液で、胃酸は食べ物を殺菌し、ペプシンはタンパク質を消化する。
胃には吸収作用はほとんどなく、水分・アルコール・ブドウ糖などが、わずかに吸収されるのみで、胃の中である程度消化された食べ物は、十二指腸で本格的に消化され、食べ物が十二指腸に送り込まれるのと同時に、胆管と膵管から、胆汁と膵液が流れ込む。そしてここに消化液が混じりあい、食べ物はさらに細かく砕かれて行く。
小腸では主に栄養素の吸収が行われる。食べ物はゆっくり４〜５時間かけて、小腸を進んでいく間に、消化液に含まれている何種類かの酵素によって、糖質・タンパク質・脂肪といった栄養素が分解・吸収され、残りは大腸に送られる。
大腸は、胃や小腸で消化吸収された残りの食べ物を、以下の３つの運動によって直腸まで運ぶ。
１）蠕動運動
腸の筋肉が収縮と弛緩を繰り返し、腸管のくびれによって、内容物を移動させる運動。
２）分節運動
大腸の同じ箇所の伸縮運動で、移動させるのでなく、食べ物を撹拌する運動。
３）振子運動
分節運動と同じく、食べ物を粉砕し、混和する運動。
これらの運動は無意識の「反射」によって起こるため、大腸を動かすためは「誘因」が必要となる。
また、大腸では、小腸から移行してきた内容物に、古くなって剥がれ落ちた腸の粘膜や、腸内細菌の死骸などが加わり、水分が吸収されていくことで次第に固まりながら、最終的に便を形成する。
直腸に便が溜まると内圧が上昇し、その情報は大脳と脊髄に伝えられ、そこから排便運動の指令が出さる。
肛門では便やガスの排出を調節している。排便の準備ができるまでは、肛門括約筋が緊張を保って肛門は閉じられているが、準備が整うと括約筋はゆるみ、肛門が開きやすくなる。そして、いきむことによって肛門内圧が上昇し、便が肛門から押し出され排便に至る。
排便終了後、直腸内が空になり直腸の緊張がとれた時点で、再び肛門括約筋は肛門を締める。
そこで本考案の起因になっている便秘について概略述べる。
便秘の原因は「不適正な生活習慣」「知識不足」「ストレス」「腹筋力低下」「その他の病気」「飲んでいる薬」などがあげられる。まずはこれらの原因を取り除くようにすることが大切である。
生活習慣的には、便意をがまんする、排便の時に力みすぎる、毎日排便がないと満足しないなどがあげられる。
疾病的には、糖尿病、甲状腺機能低下症パーキンソン病、うつ病膠原病肛門疾患（裂肛など）があげられる。
飲んでいる薬では、抗コリン剤、抗パーキンソン剤、三環系抗うつ剤、利尿剤、鉄剤、オピアト等の投与が起因していると言われている。
いずれにせよ消化器官の機能とそれを阻害し便秘となる原因はその殆どが解明されている。
しかし、通常に生活しているものには結果論に過ぎないことが多い。原因が自覚無く急遽襲う便秘に苦しまれている人は以外に多いと想定される。
便秘によっては数日も排便されず激しい腹痛に見舞われて死ぬほどの思いを経験された人も多いと聞く。
【考案の開示】
【考案が解決しようとする課題】
【０００３】
本考案者は、その経験者であり、苦しさ紛れにスプーンを使用して実際に排便を簡単に肛門外に誘導排便した経験に基づいて開発し、便秘で苦しむ人への明るい一助となる便秘クリーナーを提供するものである。
即ち、手や挿入体そのもの自体を汚すことなく手で簡単円滑に挿入操作するだけで、痛みを伴うことなく便を直腸から肛門側に誘導して円滑に肛門から排便させることができると共に排便後の始末も簡便なものにした便秘クリーナーを提供するものである。
【課題を解決するための手段】
【０００４】
本考案の特徴とする手段は次の(1)、(2)の通りである。
(1)、肛門に挿入して溜まった糞を排出し便秘を解除するものであって、掬い面を有するスプーン状の便誘導ピックを挿入先端部に設け、便誘導ピックの後部に誘導操作アームを接続し、誘導操作アームの中間部に挿入制限用のストッパーを設け、誘導操作アームに対して便誘導ピックをそのスプーン掬い面側に傾倒させてなることを特徴とする便秘クリーナー。」である。
(2) 肛門に挿入して溜まった糞を排出し便秘を解除するものであって、掬い面を有するスプーン状の便誘導ピックを挿入先端部に設け、便誘導ピックの後部に誘導操作アームを接続し、誘導操作アームの中間部に挿入制限用のストッパーを設け、誘導操作アームに対して便誘導ピックをそのスプーン掬い面側に傾倒させ、少なくとも前記便誘導ピックとストッパーを含む範囲の表面に着脱自在な伸縮性薄膜を被覆したことを特徴とする便秘クリーナー。
【考案の効果】
【０００５】
本考案は、特徴(1)の便秘クリーナーにより、手で挿入体を簡単円滑に挿入操作するだけで、痛みを伴うことなく便を直腸から肛門側に誘導して円滑に肛門から排便させることができる。又特徴(2)の便秘クリーナーにより、挿入体そのもの自体を汚すことなく挿入操作して排便後は伸縮性薄膜を取り除くだけで便秘クリーナーを再利用することができるもので、その始末を簡便且つ清潔なものにしたものである。更に伸縮性薄膜を誘導操作アーム側にまで覆おう大きくした袋状のものにすれば手を入れて操作ができて手を汚すことは無く、また排便を収容して始末するものにも利用することができるなどの優れた効果を呈する。  
【考案を実施するための最良の形態】
【０００６】
本考案の便秘クリーナーにおいて、便誘導ピック（ピックフック）は、殆んどそのままでよいが、液体や軟膏やゼリー状の潤滑体を付けて、肛門の直腸内とそれに続く大腸端部内に円滑に挿入して溜まった糞に対してその側面がわに接触させて掻き出したり、側面がわから直接糞内に噛み込ませ引出し誘導するもので、誘導操作アームによる引出し誘導を確実なものにするものである。このためその形状としては、好ましくは先が小さい円弧で後部が大きな円弧に拡がり且つその間に掬い面を形成した所謂スプーン状のものが上記の作用効果を得るのに最も好ましい。
本考案の便秘クリーナーにおいて、誘導操作アームは、便誘導ピックの前記掻き出し操作及び引出し誘導操作を確実に行わしめるものである。その形状は手で持って前記便誘導ピックの操作が円滑に行える丸型、パイプ型、平型等の堅牢な柄にすることが好ましい。
本考案の便秘クリーナーにおいて、挿入制限用のストッパーは、便誘導ピックの肛門挿入深さを制限する、つまり個人の直腸長さに応じてその先の大腸端部内に便誘導ピックが入り込める範囲を制限するものである。また誘導操作アームで操作中に強引に直腸内に引き込まれることを防止するものである。その形状等は、肛門入り口の周囲に優しくフィットする円盤状、ドーナツ型、放射状型、傘型、複数の平型当板等に形成した軟質又は硬質な樹脂製、金属製にすればよい。また誘導操作アームへの装着は、固定してもよく、又挿入深さを簡単に変更できるように適宜な摺動機構、ゴムパッキン締め、螺合機構で行い、誘導操作アームの軸方向に移動可能にし、また適宜な回転機構により回転角度位置を変更可能に装着して、肛門周囲への当接位置を任意に変更調節できるようにしてもよい。
本考案の便秘クリーナーにおいて、誘導操作アームに対して便誘導ピックをそのスプーン掬い面側に傾倒させる理由は、前記誘導操作アームを体の前側で操作することを容易にするものである。つまり便誘導ピックを小指側に位置させて誘導操作アームを親指と人指し指と中指で持ち（右利きの人の場合）便誘導ピックを円弧動作させて、肛門の直腸内挿入とそれに続く大腸端部内に円滑に挿入して溜まった糞に対してその体の下面後側面から直接接触して掻き出したり、後側面から直接糞内に進入させて引出し誘導可能にフックして、誘導操作アームによる引出し誘導を確実なものにするものである。
本考案の便秘クリーナーにおいて、誘導ピックとそれに続く誘導操作アームに被せる伸縮性薄膜は、袋状にしたゴム製、軟質樹脂製にして、誘導ピックと誘導操作アームが直接糞に接触することを防ぎ使用後は脱がして新規のものと交換すればよい。また排出した便を収容し廃棄することもできる。また、肛門へのより円滑な挿入のため、液体や軟膏やゼリー状の潤滑体を付けても良い。
【実施例１】
【０００７】
図１（１）〜（３）に示す実施例の便秘クリーナー100は、挿入先端部に、先が小さい円弧で後部が大きな円弧に拡がり且つその間に掬い面201を形成した所謂スプーン状の便誘導ピック200を設け、この便誘導ピック200の後部に誘導操作アーム300を接続し、誘導操作アーム300の中間部に、挿入制限用の一対のストッパー400を、誘導操作アーム300の軸方向に進退移動調節可能に且つ誘導操作アーム300の軸芯を中心に回転可能に螺合して設けて、任意の位置で任意の角度に変更可能にし、誘導操作アーム300に対して便誘導ピック200は、そのスプーン掬い面201側に傾倒させた曲げ部301を形成させてなる。
便誘導ピック200（ピックフック）は、殆んどそのままでまたは、液体や軟膏やゼリー状の潤滑体を付けて、肛門から直腸内に円滑に挿入して溜まった糞に対してその側面がわに接触させて掻き出したり、側面がわから直接糞内に噛み込ませ引出し誘導し、誘導操作アーム300による引出し誘導を確実なものにする。
誘導操作アーム300は、便誘導ピック200の便の掻き出し操作及び引出し誘導操作を確実に行わしめるもので、その形状は手で持って前記便誘導ピックの操作が円滑に行える平型の柄で前記曲げ部301を形成にしてある。
挿入制限用のストッパー400は、便誘導ピック200の肛門から直腸内への挿入深さを制限する。つまり、個人の直腸長さに応じて便誘導ピック200が入り込める範囲を制限する。その形状を平型当板等に形成した硬質な金属製にしてある。
また誘導操作アーム300に対して便誘導ピック200をそのスプーン掬い面側に傾倒して、前記誘導操作アーム300を体の前側で操作することを容易にする。つまり便誘導ピック200を小指側に位置させて誘導操作アーム300を親指と人指し指と中指で持ち（右利きの人の場合）便誘導ピック200を円弧動作させて、肛門から直腸内に円滑に挿入して溜まった糞に対してその糞体の下面後側面から直接接触して掻き出したり、後側面から直接糞内に進入させて、引出し誘導可能にフックして、誘導操作アーム300による引出し誘導を確実なものにする。
図１（３）には、図１の（１）と（２）に示す同一の構成の他に、前記便誘導ピック200とストッパー400を含む範囲の表面に着脱自在な伸縮性薄膜500を被覆したものである。
便誘導ピック200とそれに続く誘導操作アーム300に剥離自由に被せた伸縮性薄膜500は、袋状にしたゴム製、軟質樹脂製にして、誘導ピックと誘導操作アームが直接糞に接触することを防ぎ使用後は脱がして新規のものと交換する。また排出した便を収容し廃棄することもできる。また、肛門への、より円滑な挿入のため、液体や軟膏やゼリー状の潤滑体を付ける。
図２の（１）〜（３）に示す実施例の便秘クリーナー100は、図１の（１）〜（３）に示す実施例の便秘クリーナーと略同一の構成であるが、異なるところは、誘導操作アーム300の所定域に雄螺子410を設け、挿入制限用ストッパー400に雌螺子420を設け、雄螺子410に雌螺子420を螺合させて、ストッパー400を回転させることにより、矢印Ａの如く誘導操作アーム300の軸方向に進退移動調節可能に且つ矢印Ｂの如く誘導操作アーム300の軸芯を中心に回転可能にして、任意の制限位置に、任意の回転角度に変更可能にしたものである。
【産業上の利用可能性】
【０００８】
本考案は、手や挿入体そのもの自体を汚すことなく手で簡単円滑に挿入操作するだけで、痛みを伴うことなく便を直腸側に誘導して円滑に肛門から排便させることができると共に排便後の始末も簡便なものにした便秘クリーナーであり、この種産業に多大な貢献を呈するものである。
【図面の簡単な説明】
【０００９】
【図１】本考案の１実施例を示す側面説明図であり、(1)は側面図を示し、(2)は平面図を示し、(3)は(1)(2)の例に伸縮性薄膜500を被覆した例を示す。
【図２】本考案の他の実施例を示す側面説明図であり、(1)は側面図を示し、(2)は平面図を示し、(3)は(1)(2)の例に伸縮性薄膜500を被覆した例を示す。
【符号の説明】
【００１０】
100    便秘クリーナー
200    便誘導ピック
300    誘導操作アーム
400    挿入制限用のストッパー
500    伸縮性薄膜
【図１】
0003144761.tif 000003
【図２】
0003144761.tif 000004